(57)【要約】【課題】表示装置に対し、そのケーシングの外見に設計変更が加えられて表示パネルとケーシングとの間に寸法が僅かに合わないようになった時、その寸法の差を埋めることができ、表示パネルに新たに設計変更を行う必要がないようにさせる表示パネル固定装置を提供しようとする。【解決手段】表示パネルと、上部に開口を有し、且つ内部に前記表示パネルをその正面の表示領域が前記開口に臨むように収容する空間を有するケーシングとからなる表示装置に使用される表示パネル固定装置であって、前記ケーシング内の下面における前記開口と上下対応する箇所に、前記表示パネルの全周縁を取り囲むように固設されうるように構成された第１の枠体と、前記第１の枠体に取り囲まれた前記表示パネルの正面と前記ケーシング内の上面における前記開口の周縁との間に挟まれて固設されうるように構成された第２の枠体とを備えることを特徴とする表示パネル固定装置を提供する。【選択図】図１
0003119240.tif 000002
【実用新案登録請求の範囲】
【請求項１】
表示パネルと、上部に開口を有し、且つ内部に前記表示パネルをその正面の表示領域が前記開口に臨むように収容する空間を有するケーシングと、からなる表示装置に使用される、表示パネル固定装置であって、
前記ケーシング内の下面における前記開口と上下対向する箇所に、前記表示パネルの全周縁を取り囲むように固設されうるように構成された第１の枠体と、
前記第１の枠体に取り囲まれた前記表示パネルの正面と前記ケーシング内の上面における前記開口の周縁との間に挟まれて固設されうるように構成された第２の枠体と、
を備えることを特徴とする表示パネル固定装置。
【請求項２】
前記第２の枠体は、前記表示パネルの正面と前記ケーシングの上面における前記開口の周縁との間に挟まれて固設された時、前記開口内に前記開口の周縁に沿うように露出する部分を有することを特徴とする請求項１に記載の表示パネル固定装置。
【請求項３】
前記第１の枠体と前記表示パネルとの間に挟まれるように構成された緩衝材を更に備えることを特徴とする請求項１に記載の表示パネル固定装置。
【請求項４】
前記第２の枠体と前記表示パネルの正面との間及び前記第２の枠体と前記ケーシングの上面における前記開口の周縁との間の前記固設を行うための両面テープを更に備えることを特徴とする請求項１に記載の表示パネル固定装置。
【請求項５】
前記第１の枠体は、前記表示パネルを下から支持する部分が形成してあることを特徴とする請求項１に記載の表示パネル固定装置。
【考案の詳細な説明】
【技術分野】
【０００１】
本考案は、表示パネルと、上部に開口を有し、且つ内部に前記表示パネルをその正面の表示領域が前記開口に臨むように収容する空間を有するケーシングとからなる表示装置に使用される表示パネル固定装置に関する。
【背景技術】
【０００２】
コンピュータ、携帯電話、デジタルカメラ、ＰＤＡ、ＭＰ３プレーヤー、ゲーム機など現在生活に普及している電子製品には、文字や図形の情報を表示するための表示装置が備わらないものはほとんどない。図３及び図４の従来例で示すように、通常、このような表示装置１は、表示パネル１１と、ケーシング１２とからなっている。該ケーシング１２は、開口１２１Ａを有する上フレーム１２１と、その上面に複数の突起部１２３が形成してある下フレーム１２２とから上下互いに合わさるように構成されている。この表示装置１は、その表示パネル１１が前記複数の突起部１２３の弾性力による係止でその下フレーム１２２上にセット固定され、且つその上フレーム１２１の下面における前記開口１２１Ａの周縁が上からその表示パネル１１の上面に当接しながら前記下フレーム１２１と上下合わせて挟むことによってその表示パネル１１をケーシング１２内にその正面の表示領域だけが開口１２１Ａに臨むように安定に収容している。
【０００３】
前記構造の表示装置１では、表示パネル１１が直接ケーシング１２の上下フレーム１２１、１２２により挟持・固定されているため、それらの間の寸法が精度よく合わなければならない。しかしながら、ケーシング１２にはファッションを追うために設計変更が頻繁に行わなければならず、その場合、上フレーム１２１や下フレーム１２２の外形または寸法が一旦変わると、表示パネル１１とケーシング１２との間に隙間が出てきて、表示パネル１１が安定に保持されないようになるため、表示パネル１１の設計変更が同時に行わなければならず、コストの上昇を避けることができない。
【０００４】
更に、前記表示パネル１１と上フレーム１２１や下フレーム１２２とが直接接続しているので、表示装置１に落下などで衝撃や振動が加えられると、表示パネル１１に損傷を与え易いばかりでなく、水やほこりが開口１２１Ａから侵入し易い問題もある。
【考案の開示】
【考案が解決しようとする課題】
【０００５】
前記問題に鑑みて、本考案は、表示装置に対し、そのケーシングの外見に設計変更が加えられて表示パネルとケーシングとの間に寸法が僅かに合わないようになった時、その寸法の差を埋めることができ、表示パネルに新たに設計変更を行う必要がないようにさせる表示パネル固定装置を提供しようとすることを第１の目的とする。
【０００６】
また、表示装置に対し、その外部の衝撃や振動を吸収したり、表示パネルを水やほこりの侵入から保護したりすることができるようにさせる表示パネル固定装置を提供しようとすることを第２の目的とする。
【課題を解決するための手段】
【０００７】
前記第１の目的を達成するために、本考案は、表示パネルと、上部に開口を有し、且つ内部に前記表示パネルをその正面の表示領域が前記開口に臨むように収容する空間を有するケーシングと、からなる表示装置に使用される、表示パネル固定装置であって、前記ケーシング内の下面における前記開口と上下対向する箇所に、前記表示パネルの全周縁を取り囲むように固設されうるように構成された第１の枠体と、前記第１の枠体に取り囲まれた前記表示パネルの正面と前記ケーシング内の上面における前記開口の周縁との間に、挟まれて固設されうるように構成された第２の枠体とを備えることを特徴とする表示パネル固定装置を提供する。
【０００８】
また、前記第２の目的を達成するために、前記構造の表示パネル固定装置に加えて、前記第１の枠体と前記表示パネルとの間に挟まれるように構成された緩衝材を更に備え、且つ前記第２の枠体と前記表示パネルの正面との間及び前記第２の枠体と前記ケーシングの上面における前記開口の周縁との間の前記固設を行うための両面テープを更に備えることを特徴とする表示パネル固定装置を提供する。
【考案の効果】
【０００９】
前記構造の表示パネル固定装置によると、表示装置において、表示パネルが直接ケーシングにより固定・挟持されなく、第１の枠体と第２の枠体を介して固定されるため、表示パネルとケーシングとの寸法が僅かに合わない時、第１の枠体と第２の枠体の厚さ、サイズを適当に変更することにより、表示パネルとケーシングとの間の寸法の差を埋めることができ、表示パネル自体に設計変更を加える必要がない。
【００１０】
また、前記緩衝材により外部の衝撃や振動を吸収するため、表示パネルの破損を防止し、表示装置の使用寿命を上昇させることができる。更に、前記第２の枠体と前記表示パネルの正面との間及び前記第２の枠体と前記ケーシングの上面における前記開口の周縁との間に前記両面テープが介在すると、水やほこりが遮蔽されて開口から侵入しにくくなる。
【考案を実施するための最良の形態】
【００１１】
本考案を図式に示す実施形態に基づいて詳細に説明する。図１は、本考案の表示パネル固定装置の一実施形態を適用した表示装置の分解斜視図である。図２は、図１の表示装置の組み立て済みの状態の断面図である。
【００１２】
図１と図２に示すように、この表示装置は、正面２１の周縁近く以外を表示領域とする表示パネル２と、ケーシング３と、本考案の実施形態例である表示パネル固定装置４とからなっている。ケーシング３は、開口３１１を有する上部３１と、該上部３１と上下互いに合わさると内部に表示パネル２をその正面２１の表示領域が開口３１１に臨むように収容する空間を有する下部３２とから構成されている。
【００１３】
本考案の実施形態例であるこの表示パネル固定装置４は、第１の枠体４１と、緩衝材４２と、第２の枠体４３と、二本の両面テープ４４、４４とを備えている。
【００１４】
第１の枠体４１は、枠本体４１１と、該枠本体４１１の底縁から枠内へ突出している突縁４１２とからなり、且つ、図示のように、ねじ止めで、ケーシング３の下部３２の内面３２１における開口３１１と上下対応する箇所に、前記突縁４１２で表示パネル２を下から支持すると共に、前記枠本体４１１で表示パネル２の全周縁を取り囲むように固設されている。
【００１５】
緩衝材４２は、第１の枠体４１と表示パネル２との間に挟まれている。
【００１６】
第２の枠体４３は、二本の両面テープ４４、４４により、第１の枠体４１に取り囲まれた表示パネル２の正面２１とケーシング３の上部３１の内面３１２における開口３１１の周縁との間に、その内周縁４３１が開口３１１の周縁に沿って開口３１１内に露出するように挟まれて固設されている。
【００１７】
この開口３１１内に露出する内周縁４３１は、もちろん図示のデザインに限らないばかりでなく、他に装飾や模様を付け加えても良い。また、両面テープ４４としては、前述の固設の機能の他に、遮蔽及び緩衝の機能をも果たすために、例えばフォームの両面に接着テープを貼り合わせてなったものも使用されうる。
【００１８】
このような構造の表示パネル固定装置４では、表示装置のケーシング３に設計変更が行われて表示パネル２とケーシング３との間に隙間ができた場合、材料、構成及び製造に極めて簡単である表示パネル固定装置４だけをその寸法変化に応じて寸法調整すればよい。例えば、設計変更により、そのケーシング３内の収容空間が大きくなると、その隙間に応じて第２の枠体４３の寸法を適当に拡大し、逆に、ケーシング３内の収容空間が小さくなると、第２の枠体４３の寸法を適当に縮小し、そしてまた、設計変更により、あるところの収容空間が大きくなり、他のところの収容空間が小さくなった場合、それらに応じて第２の枠体４３の寸法を拡大したり縮小したりいずれの寸法差をも埋めるようにすることが可能である。
【００１９】
もちろん、表示パネル２にもたまに設計変更が可能であるが、サイズが僅かに変わった場合、第１の枠体４１の寸法や緩衝材４２の厚さを適当に変更して対応することもできる。つまり、いずれも本考案の表示パネル固定装置だけを変更することによって解決される。
【００２０】
なお、本考案は前述実施形態に限定されるものではなく、本考案の要旨を逸脱しない範囲において種々の変形可能がある。
【産業上の利用可能性】
【００２１】
本考案の表示パネル固定装置によれば、表示装置に対し、そのケーシングの外見に設計変更が加えられて表示パネルとケーシングとの間に寸法が僅かに合わないようになった時、その寸法の差を埋めることができ、表示パネルに新たに設計変更を行う必要がないようにさせるため、コストの節約になる。また、表示装置に対し、その外部の衝撃や振動を吸収したり、表示パネルを水やほこりの侵入から保護したりすることができるようにさせるため、表示装置の使用寿命を上昇させる。
【図面の簡単な説明】
【００２２】
【図１】本考案の表示パネル固定装置の一実施形態を適用した表示装置の分解斜視図。
【図２】図１の表示装置の組み立て済みの状態の断面図。
【図３】従来例の表示装置の分解斜視図。
【図４】図３の組み立て済みの状態の断面図。
【符号の説明】
【００２３】
２      表示パネル
２１    正面
３      ケーシング
３１    上部
３１１  開口
３１２   内面
３２     下部
４       表示パネル固定装置
４１     第１の枠体
４１１   枠本体
４１２   突縁（表示パネルを下から支持する部分）
４２     緩衝材
４３     第２の枠体
４３１   内周縁
４４     両面テープ
【図１】
0003119240.tif 000003
【図２】
0003119240.tif 000004
【図３】
0003119240.tif 000005
【図４】
0003119240.tif 000006